【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
金属材料で形成される第１の外装部材と、
金属材料で形成される第２の外装部材と、
第１の係合部を備える第１の係合部材と、
第２の係合部を備える第２の係合部材と、
前記第１の外装部材は、第１の凸形状部と第１の突起部を備え、
前記第１の係合部材は、第１の当接部を備え、
前記第１の凸形状部が前記第１の係合部に形成される第１の孔部に嵌合し、前記第１の係合部材が前記第１の外装部材に固定された状態で、前記第１の当接部は前記第１の突起部に当接し、
前記第２の外装部材は、第２の凸形状部と第２の突起部を備え、
前記第２の係合部材は、第２の当接部を備え、
前記第２の凸形状部が前記第２の係合部に形成される第２の孔部に嵌合し、前記第２の係合部材が前記第２の外装部材に固定された状態で、前記第２の当接部は前記第２の突起部に当接し、
前記第１の外装部材に固定される前記第１の係合部材に形成される前記第１の係合部と前記第２の係合部を係合することによって、前記第１の外装部材と前記第２の外装部材を締結することを特徴とする電子機器。
【請求項２】
前記第１の孔部に嵌合した前記第１の凸形状部を塑性変形させた状態で、前記第１の係合部材は前記第１の外装部材に固定され、
前記第２の孔部に嵌合した前記第２の凸形状部を塑性変形させた状態で、前記第２の係合部材は前記第２の外装部材に固定されることを特徴とする請求項１に記載の電子機器。
【請求項３】
前記電子機器の第１の内部構成部材には、前記第１の係合部と前記第２の係合部の係合が外れた際に前記第２の突起部が接触する接触部が形成されていることを特徴とする請求項１または２に記載の電子機器。
【請求項４】
前記第１の係合部材は、前記第１の当接部を複数備え、
前記第１の孔部は、前記複数の第１の当接部の間に設けられ、
前記第２の係合部材は、前記第２の当接部を複数備え、
前記第２の孔部は、前記複数の第２の当接部の間に設けられることを特徴とする請求項１から３のいずれか１項に記載の電子機器。
【請求項５】
金属材料で形成される第１の外装部材と、
第１の係合部を備える第１の係合部材と、
第２の係合部を備える第２の外装部材と、
前記外装部材は、第１の凸形状部と第１の突起部を備え、
前記第１の係合部材は、第１の当接部を備え、
前記第１の凸形状部が前記第１の係合部に形成される第１の孔部に嵌合し、前記第１の係合部材が前記第１の外装部材に固定された状態で、前記第１の当接部は前記第１の突起部に当接し、
前記第１の外装部材に固定される前記第１の係合部材に形成される前記第１の係合部と前記第２の係合部を係合することによって、前記第１の外装部材と前記第２の外装部材を締結することを特徴とする電子機器。
【請求項６】
前記第１の孔部に嵌合した前記第１の凸形状部を塑性変形させた状態で、前記第１の係合部材は前記第１の外装部材に固定されることを特徴とする請求項５に記載の電子機器。
【請求項７】
前記第１の係合部材は、前記第１の当接部を複数備え、
前記第１の孔部は、前記複数の第１の当接部の間に設けられ、
前記第２の係合部材は、第２の当接部を複数備えることを特徴とする請求項５または６に記載の電子機器。
【請求項８】
前記第１の係合部材は、前記電子機器の第２の内部構成部材に形成される係止部と嵌合する被係止部を備えることを特徴とする請求項１から８のいずれか１項に記載の電子機器。
【手続補正２】
【補正対象書類名】明細書
【補正対象項目名】０００８
【補正方法】変更
【補正の内容】
【０００８】
本発明の一側面としての電子機器は、金属材料で形成される第１の外装部材と、金属材料で形成される第２の外装部材と、第１の係合部を備える第１の係合部材と、第２の係合部を備える第２の係合部材と、前記第１の外装部材は、第１の凸形状部と第１の突起部を備え、前記第１の係合部材は、第１の当接部を備え、前記第１の凸形状部が前記第１の係合部に形成される第１の孔部に嵌合し、前記第１の係合部材が前記第１の外装部材に固定された状態で、前記第１の当接部は前記第１の突起部に当接し、前記第２の外装部材は、第２の凸形状部と第２の突起部を備え、前記第２の係合部材は、第２の当接部を備え、前記第２の凸形状部が前記第２の係合部に形成される第２の孔部に嵌合し、前記第２の係合部材が前記第２の外装部材に固定された状態で、前記第２の当接部は前記第２の突起部に当接し、前記第１の外装部材に固定される前記第１の係合部材に形成される前記第１の係合部と前記第２の係合部材に形成される前記第２の係合部を係合することによって、前記第１の外装部材と前記第２の外装部材を締結することを特徴とする。
また、本発明の他の側面としての電子機器は、金属材料で形成される第１の外装部材と、第１の係合部を備える第１の係合部材と、第２の係合部を備える第２の外装部材と、前記外装部材は、第１の凸形状部と第１の突起部を備え、前記第１の係合部材は、第１の当接部を備え、前記第１の凸形状部が前記第１の係合部に形成される第１の孔部に嵌合し、前記第１の係合部材が前記第１の外装部材に固定された状態で、前記第１の当接部は前記第１の突起部に当接し、前記第１の外装部材に固定される前記第１の係合部材に形成される前記第１の係合部と前記第２の係合部材に形成される前記第２の係合部を係合することによって、前記第１の外装部材と前記第２の外装部材を締結することを特徴とする。
【手続補正３】
【補正対象書類名】明細書
【補正対象項目名】００１７
【補正方法】変更
【補正の内容】
【００１７】
図２は、デジタルカメラ１００のフロントカバー１０１にフック部材１が固定されている状態を示す斜視図である。図２に図示するように、フロントカバー１０１の縁部の内側には、複数の爪形状部（第１の突起部）１０１ａ、１０１ｂが形成されている。爪形状部１０１ａ、１０１ｂは、フロントカバー１０１を成型する際のシェービング加工によって形成されている。また、フロントカバー１０１には、縁部近傍の内側に半抜き凸形状部（第１の凸形状部）１０１ｃが形成されている。
【手続補正４】
【補正対象書類名】明細書
【補正対象項目名】００１８
【補正方法】変更
【補正の内容】
【００１８】
ばね性を有するフック部材（第１の係合部材）１には、フロントカバー１０１の半抜き凸形状部１０１ｃに嵌合する孔部１ｃが形成されている。半抜き凸形状部１０１ｃと孔部（第１の孔部）１ｃとを篏合させた後、半抜き凸形状部１０１ｃを叩いて塑性変形させることで、フック部材１は、フロントカバー１０１に固定される。図２に図示されるように、フック部材１の両端には、突き当て部（第１の当接部）１ａ、１ｂが形成されている。突き当て部１ａ、１ｂは、フロントカバー１０１の縁部に向かって延出して形成されている。フック部材１がフロントカバー１０１に固定されるとき、フック部材１の突き当て部１ａとフロントカバー１０１の爪形状部１０１ａとの間にはわずかな隙間が形成される。同じように、フック部材１がフロントカバー１０１に固定されるとき、フック部材１の突き当て部１ｂとフロントカバー１０１の爪形状部１０１ｂとの間にはわずかな隙間が形成される。フック部材１には、孔部１ｃからフロントカバー１０１の縁部に向かって延出して形成された延出形成部１ｆが形成されている。延出形成部１ｆのフロントカバー１０１の縁部から突出した部分に爪部（第１の係合部）１ｄが形成されている。フック部材１には、延出形成部１ｆと略平行にフロントカバー１０１の縁部に向かって延出して形成された延出形成部１ｇが形成されている。延出形成部１ｇのフロントカバー１０１の縁部から突出した部分に孔部（被係止部）１ｅが形成されている。
【手続補正５】
【補正対象書類名】明細書
【補正対象項目名】００２０
【補正方法】変更
【補正の内容】
【００２０】
図３は、デジタルカメラ１００のリアカバー１０２にフック部材１１が固定されている状態を示す斜視図である。図３に図示するように、リアカバー１０２の縁部の内側には、複数の爪形状部（第２の突起部）１０２ａ、１０２ｂが形成されている。爪形状部１０２ａ、１０２ｂは、リアカバー１０２を成型する際のシェービング加工によって形成されている。また、リアカバー１０２には、縁部近傍の内側に半抜き凸形状部（第２の凸形状部）１０２ｃが形成されている。
【手続補正６】
【補正対象書類名】明細書
【補正対象項目名】００２１
【補正方法】変更
【補正の内容】
【００２１】
ばね性を有するフック部材（第２の係合部材）１１には、リアカバー１０２の半抜き凸形状部１０２ｃに嵌合する孔部（第２の孔部）１１ｃが形成されている。半抜き凸形状部１０２ｃと孔部１１ｃとを篏合させた後、半抜き凸形状部１０２ｃを叩いて塑性変形させることで、フック部材１１は、リアカバー１０２に固定される。図３に図示されるように、フック部材１１の両端には、突き当て部（第２の当接部）１１ａ、１１ｂが形成されている。突き当て部１１ａ、１１ｂは、リアカバー１０２の縁部に向かって延出して形成されている。フック部材１１がリアカバー１０２に固定されるとき、フック部材１１の突き当て部１１ａとリアカバー１０２の爪形状部１０２ａとの間にはわずかな隙間が形成される。同じように、フック部材１１がリアカバー１０２に固定されるとき、フック部材１１の突き当て部１１ｂとリアカバー１０２の爪形状部１０２ｂとの間にはわずかな隙間が形成される。フック部材１１には、孔部１１ｃからリアカバー１０２の縁部に向かって延出して形成された延出形成部１１ｆに形成されている。図３に図示するように、フック部材１１がリアカバー１０２に固定されるとき、延出形成部１１ｆはリアカバー１０２の縁部から突出しない。延出形成部１１ｆには、爪部１ｄと係合可能な爪部（第２の係合部）１１ｄが形成される。
【手続補正７】
【補正対象書類名】明細書
【補正対象項目名】００２６
【補正方法】変更
【補正の内容】
【００２６】
図４（ｂ）は、図１で示す断面Ｂ−Ｂで切断した外装部品の断面図である。図１の断面は、図２、３に示す断面Ｂ−Ｂと同一である。断面Ｂ−Ｂは、孔部１ｅを横切る断面である。孔部１ｅは、デジタルカメラ１００の内部構成部材（第２の内部構成部材）１３に設けられた突起部（係止部）１３ａと嵌合している。
【手続補正８】
【補正対象書類名】明細書
【補正対象項目名】００２７
【補正方法】変更
【補正の内容】
【００２７】
図４（ｃ）は、図１で示す断面Ｃ−Ｃで切断した外装部品の断面図である。図１の断面は、図２、３に示す断面Ｃ−Ｃと同一である。断面Ｃ−Ｃは、突き当て部１ａ、１１ａと爪形状部１０１ａ、１０２ａを横切る断面である。デジタルカメラ１００の内部構成部材（第１の内部構成部材）１４に設けられた突起部（接触部）１４ａは、爪形状２ａよりもデジタルカメラ１００の背面側に形成されている。
【手続補正９】
【補正対象書類名】明細書
【補正対象項目名】００３７
【補正方法】変更
【補正の内容】
【００３７】
１                  フック部材（第１の係合部材）
１ａ、１ｂ          突き当て部（第１の当接部）
１ｄ                爪部（第１の係合部）
１１                フック部材（第２の係合部材）
１１ａ、１１ｂ      突き当て部（第１の当接部）
１１ｄ              爪部（第２の係合部）
１００              デジタルカメラ（電子機器）
１０１              フロントカバー（第１の外装部材）
１０１ａ、１０１ｂ  爪形状部（第１の突起部）
１０１ｃ            締結部（第１の凸形状部）
１０２              リアカバー（第２の外装部材）
１０２ａ、１０２ｂ  爪形状部（第２の突起部）
１０２ｃ            締結部（第１の凸形状部）